(57)【要約】      （修正有）【課題】水洗便器にて男性が放尿する際、尿および水滴が飛散することを簡単かつ効果的に防止でき、便器の周囲や便器廻りの床を汚すことの無い尿飛散防止用具を提供する。【解決手段】上部が開口部とされ、周囲に壁面部を有する容器部と、容器部の底面から上方に突出する突起体とからなる尿飛散防止用具１である。容器部と突起体は、いずれも水溶性の素材からなる。便器３０の水溜まり部３１に投げ込まれた尿飛散防止用具１に向かって放尿されると、水溶性の尿飛散防止用具１に衝突した尿はこれに吸収等されることで跳ね返りにくく、また水溜まり部３１の水面や便器３０の内側壁面３３と尿が直接衝突することが回避され、これらのことから尿や水滴が飛び散ることが無くなる。【選択図】図６
2015014087.tif 000002
【特許請求の範囲】
【請求項１】
上部が開口部とされ、周囲に壁面部を有する容器部と、
前記容器部の底面から上方に突出する突起体とからなり、
前記容器部と前記突起体は、いずれも水溶性の素材からなる、
ことを特徴とする尿飛散防止用具。
【請求項２】
前記容器部は逆錐台形であり、前記突起体が錐形であることを特徴とする請求項１に記載の尿飛散防止用具。
【請求項３】
前記突起体に、上下方向に向かうスリットが設けられていることを特徴とする請求項１に記載の尿飛散防止用具。
【発明の詳細な説明】
【技術分野】
【０００１】
本発明は、水洗便器、特に洋式の水洗便器において、男性が放尿する際に生じる尿や水滴の跳ね返りによる飛散を、簡単かつ効果的に防止する、尿飛散防止用具に関するものである。
【背景技術】
【０００２】
男性が水洗便器において放尿する際には、立った姿勢で、便器内部の水溜まり部に向かってこれを行うのが通常である。この時尿の落ちる落差が大きいことから、尿が水溜まり部に勢いよく落下し、水面と激しく衝突することで尿および水滴の跳ね返りが生じ、便器の周囲や便器廻りの床に飛散してこれらを汚す等の問題（以下汚れ問題と称する）が生じていた。
【０００３】
当該汚れ問題を解決するための手段として、便器周囲に飛散防止用のカバーを取付ける先行技術（特許文献１参照）や、水溜まり部に飛散防止用の有形体を設置し（特許文献２参照）、もしくは飛散防止用の浮体（特許文献３参照）を浮かべ、もしくは上面に突起や毛羽立等を有する水溶性のペーパー（特許文献４参照）を浮かべ、これら有体物や浮体、もしくは水溶性のペーパーに尿を衝突させることで水滴等の跳ね返りを防いで飛散を防止する先行技術などが既存技術として存在する。
【先行技術文献】
【特許文献】
【０００４】
【特許文献１】特開平１１−２３６７２２号公報
【特許文献２】特開２００２−８８８６７号公報
【特許文献３】特開平０９−０１３４６６号公報
【特許文献４】特開２０１１−１３１０３０号公報
【発明の概要】
【発明が解決しようとする課題】
【０００５】
しかしながら上記各先行技術は、いずれも下記のような問題（課題）を有している。即ち飛散防止用カバーを便器の周囲に取付ける先行技術（特許文献１参照）では、その仕組みが大掛りであり取扱いが面倒であるという問題や、尿や水滴の跳ね返り自体を防ぐものでないことから、カバー自身が汚れ、衛生面から定期的な交換もしくは洗浄が必要になるといったメンテナンス上の問題を有している。
【０００６】
また水溜まり部に飛散防止用の有形体を設置する先行技術（特許文献２参照）においては、便器の洗浄能力や構造面からの制約により、尿を衝突させる有体物を水溜まり部全面を覆うように設けることは困難であり、このため尿と水面との衝突を完全に回避することができず、飛散防止効果が限定されるという問題を有している。加えて先端部に有形体を設けたアーム状の装置を、取付具を用いて市販の便器に固定する必要があることから、取付作業が煩雑であり、また便器の形状等によっては上手く取付かないという汎用性に関する問題を有している。さらには長期間使用することで尿石が付着・堆積し、悪臭等が発生すること等から、当該先行技術においても装置の定期的な交換もしくは洗浄が必要になるといったメンテナンス上の問題も抱えている。
【０００７】
また水溜まり部に飛散防止用の浮体を浮かべる先行技術（特許文献３参照）においても、上記飛散防止用の有形体を設置する先行技術と同様に、便器の洗浄能力や構造面からの制約により、水溜まり部全面に隙間なくこの浮体を浮かべることは困難であり、よって飛散防止効果が限定されるという問題を有し、また尿と衝突する浮体上部は常に水に浸されている訳ではないので、長期間使用することで尿石等の付着・堆積が懸念され、メンテナンス上の問題も有する。これらの問題に加えて、誤って浮体を尿等の排泄物と一緒に流し込んでしまい下水管等の詰まりを誘発する恐れがあるという問題も抱えている。
【０００８】
一方、上面に突起や毛羽立等を有する水溶性のペーパーを便器の水溜まり部に浮かべて飛散を防止する先行技術によれば、上記先行技術に見られるようなメンテナンス上の問題は生じないものの、トイレットペーパーを水溜まり部に浮かべるといった、従来から簡易的措置として利用されている方法と基本的には同じものであり、ペーパー上面に尿が衝突すると、その衝撃と重さでペーパーは水面下に沈み、その結果尿は水面と衝突することになる。このように当該先行技術でも、尿と水面が（直接）衝突することを回避するのは構造的に不可能であり、飛散防止効果が限定的であるという問題を有している。
【０００９】
本発明は、尿が便器内の水溜まり部水面に勢いよく衝突する事で生じる前記汚れ問題を、簡易な構造で、簡単かつ確実に回避することを目的とし、さらに上記先行技術が抱える他の問題（メンテナンスの問題、汎用性の問題、下水管等の詰まりの問題）についても併せて解決することを目的とする。
【課題を解決するための手段】
【００１０】
請求項１に記載の発明は、上部が開口部とされ、周囲に壁面部を有する容器部と、前記容器部の底面から上方に突出する突起体とからなり、前記容器部と前記突起体はいずれも水溶性の素材からなることを特徴とする尿飛散防止用具（以下用具と称する）である。当該用具の使用方法について説明すると、男性のトイレ利用者は、まず当該用具を水洗便器の水溜まり部に投げ込み、その後この用具の容器内に向かって放尿する。この用具は水溶性なので、壁面部や突起体に衝突した尿は、そのまま吸い込まれて跳ね返りが少ない。従って尿を吸い込むことのない硬質の便器に直接尿が衝突する場合に比べて、尿の跳ね返りを確実に防止することができる。そしてトイレ利用者は用を足すと水を流して尿及び水と共に用具も流す。用具は水溶性なので水に溶け、排水しても問題ない。
ここで上記用具の開口部は、水溜まり部全面を覆うのに十分な大きさをもち、この用具を水溜まり部に投げ込むことで、当該水溜まり部はこの用具によって覆われた状態となることが好ましい。これにより尿が放たれる方向に関わらず、常に水溜まり部内の水面と尿が直接衝突する事象を回避することが可能となる。同時に水溜まり部の硬質の内側壁面にも尿が直接衝突する事象を回避することが可能となる。その結果尿が水面や内側壁面に衝突することによって生じる尿および水滴の跳ね返りを確実に防止することができ、尿および水滴が周囲へ飛散することを防ぐことが可能になる。
さらにこの用具は、容器部の底面から上方へ突出する突起体を設けているので、男性のトイレ利用者は当該突起体を標的とした放尿を促されるといった心理的効果が生まれ、放出される尿の多くが当該突起体に衝突することが想定される。ここで当該突起体は容器部と同じく水溶性の素材からなるところ、突起体に向けられて放たれた尿の多くは当該突起体に吸収されることになり、跳ね返りによる飛散を効果的に防止することができる。なお勢いよく大量の尿が放たれた場合には、突起体を形成する素材の吸水性能（吸収量、吸水速度）を超えた量・速さで尿が衝突することが想定され、この時尿の一部は突起体に跳ね返されることになる。そこでこの突起体に柔軟性を持たせることで、衝突する尿の水勢を緩和し、吸収しきれなった尿の跳ね返りを低減し、飛散をより効果的に防止することが可能となる。
この用具は、先述したように、用を足す前にこれを水洗便器の水溜まり部に落として使用するものである。したがって市販便器の形状等によってその使用が制限されることはなく、既に備え付けられた全ての便器において使用可能である。
この用具は水溶性の素材からなるので、トイレットペーパーを流す要領で当該用具も下水に流すことができる。従って、前記先行技術（特許文献１，２，３参照）のような長期間の使用による交換や洗浄といったメンテナンスは不要となり、また下水管等の詰まりの恐れも生じない。
以上述べたように本発明にかかる尿の飛散防止用具を用いれば、前記汚れ問題の根本原因である尿が水面と激しく衝突する事象を簡単かつ効果的に回避することが可能となり、素材が持つ吸水性と併せ、前記汚れ問題を簡易的でありながら抜本的かつ効果的に解決することができる。またメンテナンス不要で、下水管のつまりの恐れもなく、全ての市販便器に使用可能であることから、前記先行技術の問題（課題）を全て解消することが可能となる。
【００１１】
本発明は、前記容器部が逆錐台形であり、前記突起体が錐形であることが好ましい。
本発明に係る用具の機能を十分発揮させるためには、水溜まり部に用具が確実に投げ込まれること、及び水溜まり部に投げ込まれた用具が便器内において回転・転倒（横転）することなく安定して尿が受止められること、が必要である。本発明においては容器部を逆錐台形とし、且つその底部に突起体を設けることで重心の位置を低くしたので、この用具を投げた際に、投げた方向に精度よく進み、水洗便器の水溜まり部に確実に投入できる。しかも容器部が逆錐台形なので、水溜まり部に対して用具の姿勢が少し傾いて投入されたとしても、先端部分が略すり鉢状の水溜まり部に入りさえすればその姿勢は修正され、このような場合でも水洗便器の水溜まり部に確実に投入できる。
また市販の水洗便器における水溜まり部の多くはすり鉢状の窪みに水が張られた仕様であるところ、上記用具の外形を、当該すり鉢状の窪み部分の形に嵌合する形状にすることで、上記用具が持つ飛散防止効果を確実に享受することができる。言い換えれば、水溜まり部が窪んだ一般的な水洗便器での使用を前提に、当該窪み部分に用具が嵌合するように、用具の容器部形状を逆錐台形とした。
また上述したように突起体の心理的効果によって男性のトイレ利用者の多くが当該突起体を標的とした放尿を促されるため、尿の多くが当該突起体に衝突することが想定される。よって突起体と尿が衝突した際、その衝撃を出来るだけ小さくすることが、尿の跳ね返りを極力抑え、飛散防止効果を高める点で有効である。ここで尿は放物線を描いて落下するので、突起体にほぼ真上もしくは斜め上方から衝突する。したがって衝突による衝撃を最小限に抑えるためには、突起体の形状を上面をもたない錘形にするのが望ましい。つまり本発明によれば、突起体を錐形に構成したので、突起体による尿の跳ね返りを最小限に抑えることが可能になり、飛散防止効果をさらに高めることが可能となる。
【００１２】
本発明は、前記突起体に、上下方向に向かうスリットを設けることが好ましい。スリットによって裁断された突起体は、複数の薄く細長い帯状の突起片を形成する。この突起片は、上または横からの力によって容易に撓む構造を持ち、尿が真上もしくは斜め上方から衝突すると、撓みながらこれを受止める。当該撓みによって尿の勢い（水勢）は吸収される（尿の運動エネルギーが減少する）。このような突起体（突起片）の構造的特性に基づく尿の水勢低減（吸収）作用により、跳ね返りによる尿の飛散をさらに効果的に防止することを可能にしている。
【発明の効果】
【００１３】
便器の水溜まり部の水面に尿が（直接）衝突する事象を構造的に回避することで、衝突の衝撃によって生じる尿および水滴の跳ね返りを無くし、尿および水滴の飛散を防止する効果が生じる。
また用具を形成する素材が持つ吸水性と、上記突起体が持つ構造的特性から、尿の水勢低減（吸収）作用が生じ、これにより用具からの尿の跳ね返りを防止する効果が生じる。
加えて、吸水性を持つ素材からなる用具に尿が勢いよく衝突、もしくは水勢を大幅に低減（吸収）する作用を持つ前記突起体に尿が勢いよく衝突した場合、一般的にその衝突音は比較的小さいものであることから、放尿時における消音性の効果も期待できる。
本発明に係る用具を用いれば、上記効果をメンテナンス不要で常に簡単かつ確実に享受し得るという、先行技術には無い効果が認められる。
【図面の簡単な説明】
【００１４】
【図１】尿飛散防止用具１の斜視図である。
【図２】尿飛散防止用具１の平面図である。
【図３】尿飛散防止用具１の底面図である。
【図４】尿飛散防止用具１の正面図である。
【図５】尿飛散防止用具１の断面図（図２のＡ−Ａ´断面図）である。
【図６】尿飛散防止用具１の使用例を示した図である。
【発明を実施するための形態】
【００１５】
図１は本発明の一実施形態にかかる尿飛散防止用具１（以下「用具１」と称する）の斜視図であり、図２はその平面図、図３はその底面図、図４はその正面図（左右側面図、背面図もこれに同じ）、図５はその断面図、図６は便器での使用例を示した図である。図１に示すように、当該用具１は、容器部１０と突起体２０とを有して構成されている。
【００１６】
容器部１０は水溶性の薄板状の素材からなるものであって、高い吸水性を併せ持ち、水に浸かってから所定の短時間（例えば数分）で溶解することが望ましく、例えば水溶紙からなる。またコスト低減の観点から、例えば安価な水溶性の再生紙を用いることが望ましい。
【００１７】
容器部１０の形状については、（放尿時の）尿の水勢を受止めつつ、その水勢を効果的に吸収することで用具１からの尿の跳ね返りを防止できるように、使用する素材の物性を考慮した上で、適度な剛性と柔軟性を兼ね備えた形状とすることが望ましい。また使用する便器３０の水溜まり部３１およびその周辺（窪み部分３２）の形に嵌合する形状寸法とすることが望ましい。本実施形態では、例えば薄い再生水溶紙を略逆円錐台形状に成形し、その上面は広く開口した略円形（上面開口部１１）で、底面（底面部１２）は上面開口部１１の略１／３の径をもつ略円形とした器形状としている。
【００１８】
ここで上面開口部１１の形状・大きさについては、便器３０の水溜まり部３１の水面及び窪み部分３２の内側壁面３３に尿が直接衝突する事象を確実に回避し、かつトイレ利用者が用具１に向けて容易に放尿できるように、十分な開口面積を有するものとする。できれば水溜まり部３１の水面の形状・大きさと同等以上であることが望ましい。
【００１９】
また底面部１２、壁面部１３の形状・大きさについては、用具１が水溜まり部３１に投げ込まれた後、便器３０内で回転・転倒（横転）等しないように、水溜まり部３１周辺の窪み部分３２に嵌合する形状・大きさ（用具１の底面部１２と壁面部１３が、便器３０の水溜まり部３１と内側壁面３３とに囲まれて設置可能となる形状・大きさ）にすることが望ましい。
【００２０】
容器部１０の高さについては、便器３０の上面からはみ出ない程度であって、尿を捕捉するのに十分な高さにすることが望ましい。
【００２１】
発明者の試作品にかかる用具１においては、容器開口部１１は直径略１５０ｍｍの略円形、容器の底面部１２は直径略４０ｍｍの略円形、容器部１０の高さは略７０ｍｍとしている。
【００２２】
また本実施形態においては、使用する素材の量を減らすとともに、生産性（成形性）の観点から、容器部１０と突起体２０が一体成形されている。このため容器部１０における底面部１２と突起体２０の下部は共用部位として形成され、また突起体２０が設けられている範囲で底面部１２は空隙（凹部）となっている。
【００２３】
なお用具１が水溜まり部３１に投げ込まれた際、必ずしも用具１の底面部１２は水溜まり部３１に着水する必要はなく、用具１を用いて水溜まり部３１に蓋をする（覆う）ことが可能となるように、当該用具１の容器部１０における各部形状寸法を決定すればよい。
【００２４】
突起体２０は略円錐形状をしており、その高さは、例えば容器部１０の上面よりやや低く設計されている（前記発明者の試作品では略６０ｍｍとしている）。これにより、突起体２０に尿が衝突することで僅かな跳ね返りがあっても、当該跳ね返った尿が容器部１０の内側に落ち易くなっている。また先述したように、突起体２０が持つ心理的効果によって尿の多くがこの突起体２０に向けられることが想定されるので、尿を十分に吸収できるように突起体２０の大きさ（容量）をある程度確保する必要がある。
【００２５】
突起体２０には、上下方向に延びるスリット（切り込み）２１が、上から見て放射線状に複数個所設けられており、当該スリット（切り込み）２１によって裁断された突起体２０には、複数の薄く細長い帯状の突起片２２が形成されている。当該突起片２２の撓みを利用して放尿時の尿の水勢を低減（吸収）することは先述したとおりであるが、当該作用を高めるためには、突起片２２が十分に撓むことが必要であり、したがってある程度のスリット長が必要となる。実施例においては、容器部１０と突起体２０が一体成形されており、容器部１０の底面部１２と、突起体２０の下部が共用部位として形成されているところ、スリット（切り込み）２１から（容器部１０の内部に）浸水しないように、例えばスリット（切り込み）２１を突起体２０の上から略２／３の範囲に留め、突起体２０の下から略１／３の範囲にはスリット（切り込み）２１を設けない構造としている。なお容器部１０と突起体２０が別体の場合等にはスリット（切り込み）２１を突起体２０の全高にわたって設けてもよい。
【００２６】
男性のトイレ利用者は、用を足す前に、便器横等に設けられたホルダー等に収められた本発明に係る用具１を取出し、これを便器３０の水溜まり部３１に向けて投げ落とす。この用具１においては容器部１０を逆錐台形とし、且つその底部に突起体２０を設けることで重心の位置を低くしたので、この用具１を投げた際に、常に用具１の底部が下を向くように進み、便器３０の水溜まり部３１に確実に投入できる。そして水溜まり部３１は用具１で蓋をされた状態となる。その後男性トイレ利用者は用具１に向かって放尿する。尿は便器３０内部の水溜まり部３１の水面と（直接）衝突することなく、用具１の突起体２０もしくは容器の壁面部１３に衝突する。よって水溜まり部の水面と尿が（直接）衝突することによって生じる尿や水滴の跳ね返りを無くすことが可能となり、これによる尿および水滴の飛散を防止できる。また素材が持つ吸水性および突起体２０の構造的特性から生じる尿の水勢低減（吸収）作用によって、用具１からの尿の跳ね返りを効果的に防止することができる。これにより便器周囲の汚れ問題を簡易かつ効果的に解決することが可能になる。その後用具１は水に溶解（水溶）し、トイレ利用者が水を流すことで、尿とともに当該用具１は下水に排出される。
【００２７】
このように当該用具１を用いれば、前記汚れ問題を解決すると共に、前記先行技術が抱える、飛散防止効果が限定的である問題、メンテナンス上の問題、汎用性の問題、および下水管等の詰まりの問題の全てを解消することが可能になる。
【００２８】
上記実施形態として説明した用具１は、本発明の技術的思想を具体化するために例示したにすぎず、各部の形状や寸法、材質、構造などについてはこれら実施形態に限定されず、本発明の特許請求の範囲内において種々の変更を加え得るものである。例えば容器部１０の壁面部１３や突起体２０（突起片２２）に凹凸や溝などを設けたり、または容器部１０を逆多角錐台形、突起体２０を多角錐形に構成したり、または突起体２０を円柱形状や逆錐形状としたり、もしくは突起体２０を複数設けたり二重構造としたり、または容器部１０と突起体２０を別体にするなどした用具１が想定されるが、これらは全て本発明に係る用具１の一実施態様である。
【００２９】
なお、最近では便器２０内部の水溜まり部３１が大きな仕様（水面が広い仕様）の水洗便器も見られるが、当該便器においては、逆錐形の容器部１０を持つ上記用具１ではなく、上面開口部１１と底面部１２の大きさがほぼ等しく、容器部１０の高さが低い舟形のような容器部１０を持つ用具を使用するのが望ましい。
【符号の説明】
【００３０】
１    尿飛散防止用具                １０  容器部
１１  上面開口部                    １２  底面部
１３  壁面部                        ２０  突起体
２１  スリット                      ２２  突起片
３０  便器                          ３１  水溜まり部
３２  窪み部分                      ３３  内側壁面
【図１】
2015014087.tif 000003
【図２】
2015014087.tif 000004
【図３】
2015014087.tif 000005
【図４】
2015014087.tif 000006
【図５】
2015014087.tif 000007
【図６】
2015014087.tif 000008